(57)【特許請求の範囲】
【請求項１】
加熱室と、
該加熱室内に設けられ、熱風循環調理モードにおいて動作する、通電により発熱する発熱体を金属製筒体内に設けて構成された第１ヒータと、
前記加熱室内に設けられ、オーブン調理モードにおいて動作する、通電により発熱する発熱体を石英ガラス製筒体内に設けて構成された第２ヒータと、
前記加熱室内で熱風を循環させる熱風循環ユニットと、
前記加熱室内に配置され、上方が開口した皿体と、
少なくとも前記熱風循環調理モードにおいて前記皿体の開口側に装着され、網目が所定の寸法を有し、金属線材を波形に曲げて編んだ網部を、縁枠部を構成する上側縁枠と下側縁枠とで両面から挟持して溶接することによって構成され、通気性を有する天板部材と
を備える加熱調理器。
【請求項２】
前記網目の所定の寸法は、前記網目の第１の方向における寸法および前記第１の方向に直交する第２の方向における寸法が約６〜約１３ｍｍである
請求項１に記載の加熱調理器。
【請求項３】
前記網部の線径が直径約０．７〜約１．８ｍｍである
請求項１または２に記載の加熱調理器。
【請求項４】
前記天板部材は、前記網部の縁に位置する縁枠部をさらに備え、該縁枠部は、前記皿体の鍔部の内周縁部に適合する大きさである
請求項１乃至３のいずれかに記載の加熱調理器。
【請求項５】
被調理材を収納するための加熱室と、
前記加熱室の上方に配置されるモータ室と、
前記モータ室内に取り付けられるモータと、
前記加熱室内で前記モータの回転軸に取り付けられる第１のファンと、
前記第１のファンの下方に配置され、通風空隙を有する第１ヒータと、
前記第１ヒータの下方に配置される第２ヒータと
を備える請求項１乃至４のいずれかに記載の加熱調理器。
【発明の詳細な説明】
【技術分野】
【０００１】
本発明は、加熱調理器に関する。
【背景技術】
【０００２】
従来から、加熱調理器においては、加熱室内に収容した被調理材の加熱手段として、マイクロ波（高周波）による加熱調理手段、熱風循環による加熱調理手段、電気ヒータを加熱源とする輻射熱によるグリル調理手段などが採用され、広く一般家庭に普及している。
【０００３】
そのうち、熱風を循環させることによる加熱調理が可能な調理器は、ヒータ、熱風循環用ファンなどを備える。ヒータ及び熱風循環用ファンの作用により熱風が生成され、その熱風が加熱室内に吹き出される。熱風は加熱室内の被調理材を加熱した後、熱風循環用ファンによって吸い込まれ、再び熱風化されて加熱室内に吹き出されるという循環を繰り返す。また、近年の健康志向により、油を使わずにフライドポテトやコロッケ、海老フライなどの揚げ物調理ができる熱風循環によるノンフライヤー調理に対する関心が高まっている。
【０００４】
特許文献１に記載の技術は、加熱室の上方に設けられた上ヒータ、加熱室の下方に設けられた下ヒータが設けられ、さらに、熱風ヒータが発熱すると同時にファンが回転して風を発生する。熱風ヒータから熱が伝えられ熱風となり、加熱室の後部壁面に設けられた送風孔から加熱室に吹出し、被調理品を加熱し調理するようになっている。
【先行技術文献】
【特許文献】
【０００５】
【特許文献１】特許第３６３７２８８号公報
【発明の概要】
【発明が解決しようとする課題】
【０００６】
特許文献１の実施の形態における加熱調理器では、熱風装置で発生した熱風が加熱室の後部壁面に設けられた送風孔から水平方向に吹出されるために、被加熱品収容皿に収容した被加熱品の上部のみに熱エネルギーが供給され、下部が充分に加熱されずに加熱ムラが発生するという問題があった。
【０００７】
本発明はこのような点に鑑みなされたものであり、効率よく被加熱品の表裏を熱風循環調理することができる加熱調理器を提供することを目的とする。
【課題を解決するための手段】
【０００８】
上述した課題を解決するために、本発明は、加熱室と、加熱室内に設けられ、熱風循環調理モードにおいて動作する、通電により発熱する発熱体を金属製筒体内に設けて構成された第１ヒータと、加熱室内に設けられ、オーブン調理モードにおいて動作する、通電により発熱する発熱体を石英ガラス製筒体内に設けて構成された第２ヒータと、加熱室内で熱風を循環させる熱風循環ユニットと、加熱室内に配置され、上方が開口した皿体と、少なくとも熱風循環調理モードにおいて皿体の開口側に装着され、網目が所定の寸法を有し、金属線材を波形に曲げて編んだ網部を縁枠部を構成する上側縁枠と下側縁枠とで両面から挟持して溶接することによって構成され、通気性を有する天板部材とを備える加熱調理器である。
【発明の効果】
【０００９】
本発明によれば、効率よく被加熱品の表裏を熱風循環調理することができる。なお、ここに記載された効果は必ずしも限定されるものではなく、明細書中に記載されたいずれかの効果であってもよい。
【図面の簡単な説明】
【００１０】
【図１】図１は、本発明の実施の形態に係る加熱調理器の外観を示す正面側斜視図である。
【図２】図２は、加熱調理器の外観を示す背面側斜視図である。
【図３】図３は、加熱調理器の側面視断面図である。
【図４】図４は、加熱調理器の側面視断面下方斜視図である。
【図５】図５は、加熱調理器の側面視断面上方斜視図である。
【図６】図６は、加熱調理器のモータ室内からモータを除いた状態を示す上面斜視図である。
【図７】図７は、加熱室内に設けられた加熱調理器の構成部品を示す斜視図である。
【図８】図８Ａ乃至図８Ｄは、網部の網目の形状の例を示す図である。
【図９】図９は、本発明の他の実施の形態に係る加熱調理器の外観を示す正面図である。
【発明を実施するための形態】
【００１１】
以下、本発明の実施の形態について図面を参照しながら説明する。ただし、本発明は以下の実施例のみに限定されるものではない。なお、説明は以下の順序で行う。
＜１．実施の形態＞
＜２．他の実施の形態＞
＜３．変形例＞
【００１２】
＜１．実施の形態＞
以下、図を参照して、本発明に係る加熱調理器１０について説明する。本発明に係る加熱調理器１０は、熱風を高速で循環させて被調理材に所定時間当て続けることにより油を使わずに揚げ物調理（以下、熱風循環調理と称する。）を行う機能を備える。さらに、加熱調理器１０は、ヒータの熱により加熱室内の温度を上げることにより被調理材を加熱する調理（以下、オーブン調理と称する。）を行う機能も備えるものである。さらに、加熱調理器１０はヒータの熱により直接被調理材を加熱するオーブントースタとしても使用することが可能なものである。
【００１３】
加熱調理器１０は、矩形箱状の筐体１００を備える。筐体１００の正面上部には、操作部１１０が設けられている。操作部１１０は、調理モード切り替えスイッチ１１１、温度設定用ダイヤル１１２、加熱時間設定用ダイヤル１１３から構成されている。ただし、操作部１１０の構成はこれに限られるものではない。より多くのパラメータを設定できるようにしてもよい。また、つまみ、ダイヤルのほか、ボタンなどで構成されてもよい。
【００１４】
加熱調理器１０の使用においては、使用者は第１の調理モードである熱風循環調理モードまたは第２の調理モードであるオーブン調理モードを選択することが可能である。加熱調理器１０は、調理モードを選択することにより動作させるヒータを切り替える制御回路を備えている。この制御回路は回路基板１２０上の電気回路として構成されており、調理モード切り替えスイッチ１１１、温度設定用ダイヤル１１２、加熱時間設定用ダイヤル１１３に対する使用者の入力に応じて、熱風循環調理用のヒータ、オーブン調理用のヒータのオンオフ、ヒータの温度、加熱時間を制御する。また、加熱調理器１０内には、コンセントなどを介して供給された電力を加熱調理器１０の各部に供給するための電源回路（図示せず）が設けられている。なお、オーブン調理モードには、オーブントースタとしての使用に適したオーブントースタモードが含まれる。
【００１５】
また、筐体１００の正面、操作部１１０の下方には、筐体１００内に設けられた加熱室３００を開閉するためのドア１３０が設けられている。ドア１３０は下端側を軸として回転可能に構成されており、ドア１３０の上端には、使用者がドア１３０の開閉を行い易くするための取手部１３１が設けられている。なお、ドア１３０は、耐熱性のあるガラスにより構成し、加熱室３００内を見通すことができるようにしてもよい。
【００１６】
筐体１００の背面側には、給気口１４０が設けられている。給気口１４０は、筐体１００内に外気を供給するためのものである。また、筐体１００の背面側には、排気口１５０が設けられている。排気口１５０は、筐体１００内の空気を外に排出するためのものである。給気口１４０および排気口１５０の詳細については後述する。
【００１７】
図３乃至図５に示されるように、筐体１００内の上部には、箱状に構成されたモータ室２００が設けられている。モータ室２００内には、ダクト２１０が設けられている。ダクト２１０は、例えば、耐熱性の高い樹脂製材料を用いて構成されている。ダクト２１０上には、冷却用ファン２３０および循環用ファン６６０を回転させるためのモータ２２０が設けられている。モータ２２０としては隈取モータが用いられている。ただし、モータ２２０は隈取モータに限られるものではなく、隈取モータ以外のモータ、例えば、ＤＣ（Direct Current）ファンモータを用いてもよい。
【００１８】
図６に示されるように、ダクト２１０の略中央には、ダクト２１０の内外を連通させるための第１開口部２１１が設けられている。なお、説明の便宜上、図６においては筐体１００の上面を除いてある。
【００１９】
筐体１００の背面の上方には、モータ室２００に通じるように給気口１４０が設けられている。給気口１４０は、多数の小径の孔からなり、モータ室２００内に外気を供給するためものである。
【００２０】
また、筐体１００の背面の給気口１４０の下方には、モータ室２００に通じるように排気口１５０が設けられている。排気口１５０は多数の小径の孔からなり、モータ室２００内の空気を外に排出するためのものである。
【００２１】
なお、モータ２２０はモータコイル２２１が給気口１４０側に位置するように設けられている。これにより、給気口１４０からモータ室２００内に供給される空気が確実にモータコイル２２１に接触するので、モータコイル２２１の冷却効率を高めることができる。
【００２２】
ダクト２１０の下方には、モータ２２０の動力によって回転する冷却用ファン２３０が設けられている。冷却用ファン２３０は、モータ２２０の回転軸に取り付けられている。冷却用ファン２３０は、給気口１４０から外気をモータ室２００内に取り込み、モータ室２００内の空気を排気口１５０から排出させるようにモータ室２００内の空気を流動させるものである。この冷却用ファン２３０による空気の流動によりモータ２２０を冷却し、モータ２２０の過熱を防止することができる。なお、モータ２２０の過熱は、モータ２２０自身の発熱によるものの他、加熱室３００内の熱がモータ２２０の軸を通じてモータ２２０に伝わることによるものもある。
【００２３】
ダクト２１０は、排気口１５０に連なっている。給気口１４０からモータ室２００内に流入した空気は冷却用ファン２３０により吸い込まれて、第１開口部２１１を通じてダクト２１０内に流入する。そして、空気はダクト２１０を通じて排気口１５０から外へ排出される。
【００２４】
ダクト２１０の排気口１５０側には、略矩形状の第２開口部２１３が形成されている。第２開口部２１３は排気口１５０に通じており、モータ室２００内の空気はダクト２１０の第２開口部２１３を通じて排気口１５０から外に排出される。冷却用ファン２３０の直径と第２開口部２１３の幅は略同等であるか、または、第２開口部２１３の幅を冷却用ファン２３０の直径以上に構成するとよい。これにより、冷却用ファン２３０によって排気口１５０方向に吹き出された空気をスムーズに第２開口部２１３を通じて排気口１５０から排出することができる。
【００２５】
冷却用ファン２３０は、排気口１５０と略同等の高さの位置に設けられている。これにより、冷却用ファン２３０の回転によって吐き出された空気が何物にも妨げられることなく最短距離で排気口１５０から排出されるため、モータ室２００内の空気の流動効率を高めることができる。
【００２６】
図６に示されるように、ダクト２１０の、モータ２２０が備えるモータコイル２２１の略直下の位置には切り欠き部２１２が設けられている。切り欠き部２１２を設けることにより、モータ２２０、特にモータコイル２２１周辺においてダクト２１０の外部から内部へ空気が流れやすくなる。これによりモータコイル２２１周辺における空気の流量が増加するとともに空気の流れがスムーズになり、モータコイル２２１の冷却効率を高めることができる。
【００２７】
また、調理モード切り替えスイッチ１１１、温度設定用ダイヤル１１２、加熱時間設定用ダイヤル１１３からなる操作部１１０に対応した回路基板１２０はモータ室２００内に設けられている。これにより、冷却ファンによりモータ室２００内で空気を流動させることにより、回路基板１２０も冷却することができる。
【００２８】
さらに、モータ室２００内の空気を流動させることによって、筐体１００の冷却も行われる。これにより、加熱調理中に使用者が筐体１００に触れて火傷してしまうことなどを防ぐことができる。また、筐体１００上に物品を置くことが出来ないという事態も防ぐことができる。
【００２９】
加熱調理器１０の矩形箱状の筐体１００の内部には、前面が開口部３１０となっている中空の箱状に構成された加熱室３００が設けられている。開口部３１０はドア１３０によって開閉される。加熱室３００は天井壁３０１、底壁３０２、左側壁３０３、右側壁３０４および奥壁３０５によって区画された空間である。底壁３０２は、アルミメッキ鋼板、ステンレスなどの光線反射性に優れた金属により構成されており、オーブン用ヒータの熱を反射する反射板として機能する。ただし、底壁３０２を構成する金属はそれらに限られるものではなく、光線反射性が良い金属材料であればどのようなものを用いてもよい。
【００３０】
図３、図４、図５および図７に示されるように、加熱室３００内の下方には、載置用網３２０が設けられている。なお、図７においては、説明の便宜上、加熱室３００の天井壁３０１、左側壁３０３、右側壁３０４、奥壁３０５、上部フード６１０および下部フード６２０は省略している。載置用網３２０は金属線材で構成された網である。載置用網３２０上には角皿４００を載置することができる。
【００３１】
なお、載置用網３２０に限られず、加熱室３００の前方から後方に伸びる左右一対のレールを設け、レールで角皿４００の両端を支持することにより、角皿４００を底壁３０２から浮いた状態で保持するようにしてもよい。なお、載置用網３２０は、ドア１３０の開閉に連動して前後に移動するように構成してもよい。
【００３２】
図３、図４、図５および図７に示されるように、角皿４００は、平板状の底面部４０１と、底面部４０１の外周から湾曲状に立ち上がる側面部４０２とから、上部が開口した有底矩形箱状に構成されている。詳しくは後述するが、この側面部４０２の形状は、加熱室３００内を下降する熱風が角皿４００の中心方向に向かいやすくするためである。また角皿４００の全周縁部には水平方向に延設した鍔部４０３が形成されており、加熱室３００内において鍔部４０３より下方への熱風の流路を遮断する大きさを有している。角皿４００の開口側には通気性のある天板部材４１０が取り外し可能な状態で設けられている。
【００３３】
天板部材４１０は、鍔部４０３の内周縁部４０４に適合する大きさの縁枠部４１１を備えた網状の部材として構成されている。図４に示されるように、縁枠部４１１は、金属線材で作製されており、上側縁枠４１１ａと下側縁枠４１１ｂとから構成されている。天板部材４１０は、金属線材を波形に曲げて編んだクリンプ織網の網部４１２を、縁枠部４１１を構成する上側縁枠４１１ａと下側縁枠４１１ｂで両面から挟持して溶接した後に余りを切ることにより形成されている。そして、天板部材４１０には、被調理材がこびり付くのを防止するためにフッ素コート表面処理が施されている。なお、縁枠部４１１の構成は上述の構成に限られるものではない。
【００３４】
天板部材４１０は、鍔部４０３の内周縁部４０４上に縁枠部４１１を載置するようにして角皿４００の開口側に設けられている。天板部材４１０が通風空隙を有する網状に構成されていることにより、吹き降ろされる熱風が天板部材４１０を通過して角皿４００の内部に入り込む事が可能となる。これにより、天板部材４１０上に載置された被調理材を熱風により下から加熱する事が可能となる。
【００３５】
また、網部４１２を構成している金属線材は直径約０．７〜約１．８ｍｍで、網目の第１の方向における寸法４１３ａおよび第１の方向に直交する第２の方向における寸法４１３ｂ（図７参照）はいずれも約６〜約１３ｍｍとしている。網目が矩形状である場合には、第１の方向と第２の方向は、図８Ａに示されるようになり、網目の一辺の長さが約６〜約１３ｍｍであることと同義となる。また、網目が六角形状である場合には、図８Ｂに示されるように、一組の向かい合う角を結ぶ線分の方向を第１の方向とし、その第１の方向と直交する方向を第２の方向とする。さらに、網目が菱形状である場合には、図８Ｃに示されるように、向かい合う角同士を結ぶ２つの線分の方向を第１の方向および第２の方向とする。または、図８Ｄに示されるように、菱形の高さ方向を第１の方向とし、その第１の方向に直交する方向を第２の方向にしてもよい。なお、図８Ａ乃至図８Ｄのいずれの例においても第１の方向と第２の方向とが逆であってもよい。
【００３６】
なお、金属線材の直径は約１．０〜約１．５ｍｍ、網目の第１の方向における寸法４１３ａおよび第１の方向に直交する第２の方向における寸法４１３ｂは約８〜約１１ｍｍの範囲にするのが好ましい。
【００３７】
金属線材の直径が約０．７ｍｍ以下では被調理材を天板部材４１０に載置した際に被調理材の自重で網目に食い込み不要な網目を被調理材に刻印してしまう。金属線材の直径が約１．８ｍｍを超えると被調理材に熱風が当たらない部分が増え、仕上がりが悪くなる。また、網目の第１の方向における寸法４１３ａおよび第１の方向に直交する第２の方向における寸法４１３ｂが約６ｍｍ以下の場合には、吹き降ろされる熱風が天板部材４１０を通過し難くなり角皿４００の内部に入り込む熱風量が少なくなってしまう。そのために被調理材の下面側に充分な熱エネルギーを供給できず加熱ムラを発生させてしまう。
【００３８】
網目の第１の方向における寸法４１３ａおよび第１の方向に直交する第２の方向における寸法４１３ｂが約１３ｍｍを超えると、例えばフライドポテトを熱風循環調理で行う場合に、被調理材が網目から角皿４００の内部に落ちやすく熱風循環の妨げとなり加熱ムラが生じやすくなる。なお、網目は正方形に限らず、網目の第１の方向における寸法４１３ａおよび第１の方向に直交する第２の方向における寸法４１３ｂが約６〜約１３ｍｍの範囲であれば良く、長方形や菱形等の形状でもかまわないし、連続した同一の網目形状だけでなく、不規則に並んでいても良い。また、金属線材で構成する網に限らず、パンチングメタル等の打ち抜き品で構成した天板部材４１０でもよい。
【００３９】
角皿４００は、高耐熱樹脂、例えばガラス強化ＰＰＳ樹脂，ガラス強化ＰＢＴ樹脂、ポリイミド樹脂等で一体成形され、または板金で成形してフッ素コート仕上げ、ホーロー仕上げをしてもよい。さらには耐熱強化ガラス、セラミック等で製作してもよい。
【００４０】
加熱調理器１０で熱風循環調理を行う場合には、天板部材４１０を設けた角皿４００を載置用網３２０上に載置し、天板部材４１０上に被調理材を載置する。また、オーブン調理を行う場合には、天板部材４１０を除いて角皿４００上に直接被調理材を載置する。さらに、加熱調理器１０をオーブントースタとして使用する場合には、載置用網３２０上に直接被調理材を載置する。なお、加熱調理器１０をオーブントースタとして使用する場合には、角皿４００とは異なるオーブントースタ用の皿を載置用網３２０上に載置してもよい。
【００４１】
第１の調理モードである熱風循環調理の際に載置用網３２０上に角皿４００を載置することにより、加熱室３００の角皿４００より下方の空間が塞がれるので、加熱室３００内を狭くすることができる。これにより、加熱室３００内の全域を熱風が循環するのではなく、角皿４００より上方の空間において熱風が循環することになるので、加熱効率が高まり、加熱室３００内の温度が上昇しやすくなる。これにより、加熱時間の短縮、電力消費量の削減などを図ることができる。
【００４２】
加熱室３００内の上方には、２つの上部オーブン用ヒータが左側壁３０３と右側壁３０４間に渡設するように設けられている。また、加熱室３００内の下方には、２つの下部オーブン用ヒータが、左側壁３０３と右側壁３０４間に渡設するように設けられている。上部オーブン用ヒータおよび下部オーブン用ヒータの構成については後述する。
【００４３】
加熱室３００内における上部オーブン用ヒータの上方には、フライ用ヒータ５００が設けられている。フライ用ヒータ５００は、第１の調理モードである熱風循環調理において動作するヒータである。第１の調理モードは、加熱調理器１０が、フライ用ヒータ５００により加熱された空気を加熱室３００内で高速循環させることにより、油を使わずにフライドポテトや唐揚げなどの揚げ物調理を行うモードである。フライ用ヒータ５００は、例えば、約８０〜約２００度の熱風を加熱室３００内において循環させることができる。
【００４４】
フライ用ヒータ５００は、回路基板１２０および電源回路に接続されている。使用者は、第１の調理モードである熱風循環調理を行う場合には、操作部１１０の調理モード切り替えスイッチ１１１を熱風循環調理に合わせる。さらに、使用者は、温度設定用ダイヤル１１２で調理に必要な温度を指定し、加熱時間設定用ダイヤル１１３で調理に必要な時間を指定する。その使用者から操作部１１０への入力内容に応じて回路基板１２０上の制御回路がフライ用ヒータ５００を通電させてオンにするとともに、フライ用ヒータ５００の温度、加熱時間を制御する。
【００４５】
フライ用ヒータ５００は、図７に示されるように、平面的に分布し、通風空隙を有するスパイラル状のシーズヒータとして構成されている。スパイラル状のシーズヒータは、通風空隙を有することにより熱風の流れを遮ることなく、さらに、表面積が大きいため、高い熱容量を得ることができるという利点がある。また、シーズヒータは、熱源としての立ち上がりは石英管ヒータより劣るが遠赤外線を多く発する利点がある。
【００４６】
フライ用ヒータ５００の上方、かつ、ダクト２１０の下方には円形皿形状の上部フード６１０および下部フード６２０が設けられている。上部フード６１０および下部フード６２０は、側面が湾曲状に形成されており、下方に向けて開口するように設けられている。上部フード６１０および下部フード６２０はアルミメッキ鋼板などの金属により構成されている。
【００４７】
この上部フード６１０および下部フード６２０に挟まれた空間が熱風の流路である空気流路６３０として機能する。下部フード６２０の略中央には、加熱室３００内の熱風を空気流路６３０に吸い込むための吸い込み口６４０が設けられている。また、空気流路６３０の外縁部は、加熱室３００内に向けて熱風を吹き出す吹き出し口６５０として機能する。吹き出し口６５０は、環状に構成されている。さらに、空気流路６３０内には、フライ用ヒータ５００と略平行に循環用ファン６６０が設けられている。循環用ファン６６０は、モータ２２０の回転軸に取り付けられている。
【００４８】
モータ２２０の動力による循環用ファン６６０の回転によって、加熱室３００内の空気は循環用ファン６６０側に吸い上げられる。その際、空気はフライ用ヒータ５００の通風空隙を通過することによりフライ用ヒータ５００によって加熱される。フライ用ヒータ５００により加熱された空気は、下部フード６２０の吸い込み口６４０から空気流路６３０内に吸引される（図３の矢印Ａ）。そして、空気流路６３０内に吸引された空気は、循環用ファン６６０の回転により遠心方向である空気流路６３０の外縁部の吹き出し口６５０から熱風として加熱室３００内に吹き出される（図３の矢印Ｂ）。
【００４９】
循環用ファン６６０によって吹き出し口６５０から吹き出された熱風は、加熱室３００内を下降していき（図３の矢印Ｃ）、湾曲した角皿４００の側面部４０２に沿って、角皿４００の底面部４０１と天板部材４１０との間の空間において、角皿４００の中心方向へ流れていく。角皿４００内に熱風が入り込むことにより、天板部材４１０上に載置された被調理材を下からも加熱することができる。
【００５０】
そして、熱風は循環用ファン６６０によって角皿４００内を上方へ吸い上げられ（図３の矢印Ｄ）、フライ用ヒータ５００によって再び加熱されて吸い込み口６４０から空気流路６３０内に吸い込まれる（矢印Ａ）。加熱調理器１０が第１の調理モードで動作する場合、この熱風の循環（図３の矢印Ａ〜Ｄ）が連続的に繰り返される。
【００５１】
循環用ファン６６０は回転するものであるため、フライ用ヒータ５００を円形に構成し、吹き出し口６５０も環状に構成することにより、熱風の循環を効率よく行うことができる。
【００５２】
また、熱風は吹き出し口６５０からほぼ真下に吹き出されるため、吹き出し口６５０の略直下の位置に角皿４００の側面部４０２を位置させることにより、熱風を効率よく循環させることができる。
【００５３】
上部フード６１０上には、僅かな隙間を開けてフードカバー６７０が設けられている。フードカバー６７０は、上部フード６１０と略同形の形状に形成されている。フードカバー６７０は例えばステンレス鋼板などの断熱性の材料により構成されている。フードカバー６７０は、加熱室３００の熱がモータ室２００に伝わらないようにするための仕切り部材として機能するものである。上部フード６１０との間に隙間を開けてフードカバー６７０を設けることにより断熱効果をより高めている。
【００５４】
加熱室３００内の上方には、２つの上部オーブン用ヒータが左側壁３０３と右側壁３０４間に渡設するように設けられている。加熱室３００の開口部３１０側に位置する上部オーブン用ヒータを第１上部オーブン用ヒータ７１１と称し、奥壁３０５側に位置する上部オーブン用ヒータを第２上部オーブン用ヒータ７１２と称する。
【００５５】
また、加熱室３００内の下方、角皿４００より下に位置するように、２つの下部オーブン用ヒータが、左側壁３０３と右側壁３０４間に渡設するように設けられている。加熱室３００の開口部３１０側に位置する下部オーブン用ヒータを第１下部オーブン用ヒータ７２１と称し、筐体１００の奥壁３０５側に位置する下部オーブン用ヒータを第２下部オーブン用ヒータ７２２と称する。
【００５６】
オーブン用ヒータは、第２の調理モードにおいて動作する、通電することで輻射熱を発生するヒータである。第２の調理モードは、加熱調理器１０がヒータの熱により被調理材を加熱するいわゆるオーブンとして機能するものである。
【００５７】
オーブン用ヒータは、回路基板１２０および電源回路に接続されている。使用者は、第２の調理モードであるオーブン調理を行う場合には、操作部１１０の調理モード切り替えスイッチ１１１をオーブン調理に合わせる。さらに、使用者は、温度設定用ダイヤル１１２で調理に必要な温度を指定し、加熱時間設定用ダイヤル１１３で調理に必要な時間を指定する。その使用者から操作部１１０への入力内容に応じて回路基板１２０上の制御回路がオーブン用ヒータを通電させてオンにするとともに、オーブン用ヒータの温度、加熱時間を制御する。
【００５８】
上部オーブン用ヒータおよび下部オーブン用ヒータは、例えば、石英管ヒータで構成されている。石英管ヒータは遠赤外線を発するが、発生量はシーズヒータに比べて劣る。しかし、熱源としての立ち上がりが早いため、オーブン／トースター用の熱源に適している。なお、上部オーブン用ヒータおよび下部オーブン用ヒータの数はあくまで例示であり、その数は２つずつに限定されるものではない。
【００５９】
第１上部オーブン用ヒータ７１１および第２上部オーブン用ヒータ７１２上にはそれぞれ反射板８００が設けられている。反射板８００は、上部オーブン用ヒータの熱を下方に反射させることにより、角皿４００に載置された被調理材への加熱、または載置用網３２０に直接載置されたパンのトースト加熱を効率よく行うことを可能とするものである。また、反射板８００上には、屋根部８１０が設けられている。屋根部８１０は、上方の吹き出し口６５０から加熱室３００内に吹き降ろす熱風を遮ることなくスムーズに下方へ流れるようにするためのものである。熱風循環調理においては、熱風を高速で循環させることが必要だからである。
【００６０】
加熱室３００内には、一つの温度検知部９００が設けられている。温度検知部９００は、加熱室３００内の温度を検出するためのものである。温度検知部９００は、例えば、液体膨張式サーモスタットを用いて構成されている。ただし、温度検知部９００は液体膨張式サーモスタットに限定されるものではなく、他の方式、例えば、サーミスタを用いた温度センサを用いてもよい。
【００６１】
＜２．他の実施の形態＞
図９を参照して本発明の他の実施の形態による加熱調理器２０について説明する。他の実施の形態では、被調理材を出し入れするための開閉されるドア１３０は、ドア枠１３０Ａと、耐熱性のガラスからなるドアガラス１３０Ｂとから構成されている。ドアガラス１３０Ｂを通じて加熱室３００内を見通すことが可能とされている。ドア枠１３０Ａの一部、例えば向かって右上コーナー部に開閉検知スイッチ１０００が設けられている。開閉検知スイッチ１０００は、例えばマイクロスイッチにより構成されている。
【００６２】
ドア１３０を開閉するのに連動して開閉検知スイッチ１０００がオン／オフする。開閉検知スイッチ１０００のオン／オフの信号が制御部に供給される。熱風循環調理モードで調理中に不用意にドア１３０を開けると、開閉検知スイッチ１０００によってドア１３０を開けたことが検出され、制御部が循環用ファン６６０を停止させる共に、フライ用ヒータ５００に対する通電を断つような制御動作を行う。
【００６３】
これは、ドア１３０を不用意に開けた場合に、加熱室３００内から使用者に向かって熱風が吹き出すことを防止するためのである。例えば、パン粉を使った揚げ物調理の場合では、パン粉や油が含まれる熱風が開口部３１０から吹き出すおそれがある。
【００６４】
開閉検知スイッチ１０００は、オーブン調理モードでも同様に動作するようになされる。オーブン調理モードにおいて、調理中にドア１３０を開けると、制御部によって、上下に設置されている全てのオーブン用ヒータ７１１、７１２、７２１、７２２がオフとされる。このようにして、不用意にドア１３０を開けた場合に対する安全対策がなされている。
【００６５】
＜３．変形例＞
以上、本発明の実施の形態について具体的に説明したが、本発明は上述の実施の形態に限定されるものではなく、本発明の技術的思想に基づく各種の変形が可能である。実施の形態においては、加熱調理用の熱源として石英管ヒータとシーズヒータを組み合わせで説明したが、シーズヒータで全てのヒータを構成してもよいし、石英管ヒータで全てのヒータを構成してもよい。
【００６６】
また、加熱室３００内に設けるヒータは、フライ用ヒータ５００と、下部オーブン用ヒータであってもよい。この場合、フライ用ヒータ５００が第２の調理モードであるオーブン調理時に上から被調理材を加熱する役割を果たす。
【符号の説明】
【００６７】
１０、２０・・加熱調理器
１００・・・・筐体
１１０・・・・操作部
１２０・・・・回路基板
１３０・・・・ドア
１４０・・・・給気口
１５０・・・・排気口
２００・・・・モータ室
２１０・・・・ダクト
２１２・・・・切り欠き部
２２０・・・・モータ
２２１・・・・モータコイル
２３０・・・・冷却用ファン
３００・・・・加熱室
３２０・・・・載置用網
４００・・・・角皿
４０４・・・・内周縁部
４１０・・・・天板部材
４１１・・・・縁枠部
５００・・・・フライ用ヒータ
６１０・・・・上部フード
６２０・・・・下部フード
６３０・・・・空気流路
６６０・・・・循環用ファン
７１１・・・・第１上部オーブン用ヒータ
７１２・・・・第２上部オーブン用ヒータ
７２１・・・・第１下部オーブン用ヒータ
７２２・・・・第２下部オーブン用ヒータ
８００・・・・反射板
８０１・・・・基部
８０２・・・・鉛直部
８１０・・・・屋根部
９００・・・・温度検知部
【要約】      （修正有）【課題】効率よく被加熱品の表裏を熱風循環調理することができる加熱調理器を提供する。【解決手段】加熱室と、加熱室に設置されるヒータと、加熱室内で熱風を循環させる熱風循環ユニットと、加熱室内に配置され、上方が開口した皿体と、皿体の開口側に装着され、網目の第１の方向における寸法および第１の方向に直交する第２の方向における寸法が約６〜約１３ｍｍである網部によって構成され、通気性を有する天板部材４１０とを備える加熱調理器である。【選択図】図７【図８】
0005620600.tif 000002
【図１】
0005620600.tif 000003
【図２】
0005620600.tif 000004
【図３】
0005620600.tif 000005
【図４】
0005620600.tif 000006
【図５】
0005620600.tif 000007
【図６】
0005620600.tif 000008
【図７】
0005620600.tif 000009
【図９】
0005620600.tif 000010